(57)【要約】      【課題】本考案の目的は、容易に入手可能な木炭を有機繊維と併用することにより、吸油性を向上させることである。      【解決する手段】有機繊維からなるマットの内部に、木炭を内蔵したことを特徴とする木炭内蔵マットであり、マットは、複数の不織布、編織物からなる構造であることを特徴とする木炭内蔵マットである。そして、木炭の重量割合が、好ましくは、全体重量の５〜８０％であることを特徴とする木炭内蔵マットである。また木炭としては、間伐材、建築廃材の炭化物であることが好ましい。【選択図】    図１
0003113227.tif 000002
【実用新案登録請求の範囲】
【請求項１】
有機繊維からなるマットの内部に、木炭を内蔵したことを特徴とする木炭内蔵マット。
【請求項２】
請求項１の木炭を内蔵した木炭内蔵マットにおいて、木炭内蔵マットを構成するマットは、複数の不織布、編織物からなる構造であることを特徴とする木炭内蔵マット。
【請求項３】
請求項１、２において、木炭の重量割合が、全体重量の５〜８０％であることを特徴とする木炭内蔵マット。
【請求項４】
請求項１、２において、木炭が、間伐材、建築廃材の炭化物であることを特徴とする木炭内蔵マット。
【請求項５】
請求項１、２において、有機繊維が、木綿、セルロースアセテート繊維、ポリアミド繊維、ポリエステル繊維、アクリル繊維、ポリオレフィン繊維であることを特徴とする木炭内蔵マット。
【請求項６】
請求項１、２において、木炭以外に、重石、発泡プラスチックスを内蔵することを特徴とする木炭内蔵マット。
【請求項７】
請求項１〜６の木炭内蔵マットを複数連結した連結木材内蔵マット。
【考案の詳細な説明】
【技術分野】
【０００１】
本考案は、木炭内蔵マットに関し、更に詳しくは、吸油性向上のため、木炭を内蔵したことを特徴とする木炭内蔵マットに関するものである。
【背景技術】
【０００２】
石油は、液体であるため、採掘が容易である、燃焼に際し、石炭に比較して、炭酸ガスの発生が少ないなどの長所があり、動力源、化学工業の原料などとして広く使用されている。しかし液体であるこに基づく欠点として、船の沈没などの不慮の事故により、漏れ出すと、拡散しやすく、汚染の除去が容易でないなどの欠点がある。このような海洋汚染の原因となる汚染油の除去法として、ヒシャクなどを用い、すくいとる方法などが行われているが、多数の人手を要する欠点がある。
【０００３】
また、汚染した油の存在する場所に界面活性剤を散布する方法も行われているが、この方法は、油を除去するのではなく、広く拡散させる方法であり、根本的な解決法ではなく、かえって界面活性剤による汚染の心配がある。
【０００４】
ポリプロピレンなどの親油性繊維は、油を吸収する性質があり、吸油マットとして使用する方法が開示されている。
例えば、ポリプロピレン繊維よりなる自己結着した繊維状構造物で、且つポリプロピレン繊維が長手方法に配列している長尺シーとを折り畳んで多量に積層し圧着融着したマット状オイル捕集材が知られている（特許文献１）。    
【０００５】
【特許文献１】特開平５−２１２３８０号公報
【０００６】
しかしポリプロピレン繊維を使用する方法は、ポリプピレン繊維の親油性を利用する方法であるため、微細な油滴の捕集に不向きであり、多くの場合、水を含んだ状態のまま、油を捕集する欠点があり、なお改良を要する。
【考案の開示】
【考案が解決しようとする課題】
【０００７】
本考案の目的は、容易に入手可能な木炭を、有機繊維と併用することにより、吸油性を向上させることである。
【０００８】
本考案者は、吸油性について鋭意研究の結果、
間伐材、建築廃材などとして容易に入手可能な木炭をマットに内蔵させることにより、著しく吸油性が向上することを見出し本考案に到達したのである。
【課題を解決するための手段】
【０００９】
すなわち本考案は、
（１）  有機繊維からなるマットの内部に、木炭を内蔵したことを特徴とする木炭内蔵マット、
（２）  （１）の木炭を内蔵した木炭内蔵マットにおいて、木炭内蔵マットを構成するマットは、複数の不織布、編織物からなる構造であることを特徴とする、
（３）  （１）、（２）において、木炭の重量割合が、全体重量の５〜８０％であることを特徴とする、
（４）  （１）、（２）において、木炭が、間伐材、建築廃材の炭化物であることを特徴とする、
（５）  （１）、（２）において、有機繊維が、木綿、セルロースアセテート繊維、ポリアミド繊維、ポリエステル繊維、アクリル繊維、ポリオレフィン繊維であることを特徴とする。
（６）  （１）、（２）において、木炭以外に、重石、発泡プラスチックスを内蔵することを特徴とする。
（７）  （１）〜（６）の木炭内蔵マットを複数連結した連結木材内蔵マット。
【００１０】
本考案でいう木炭とは、木材を乾燥後、酸欠の状態で加熱して揮発分を揮発させ、冷却して得られる所謂木炭である。木炭は、建築廃材、間伐材を木炭として製造すれば、建築廃材、間伐材の有用な用途とすることができる。そして木炭は小片であることが好ましい。
小片とは、底辺の辺の大きさ乃至径の大きさ０．１〜５ミリメートル、高さ０．１〜３０ミリメートルの円柱乃至直方体をあげることができる。本考案の木炭は、従来広く知られている木炭である。本考案で用いる木炭の小片は、木炭を切断してもよいし、取り扱い時に発生する木炭くずを利用してもよい。なお、活性炭のような粉末では、そのままでは、風などで散逸しやすいし、袋に収納しても袋から脱落しやすく好ましくない。
【００１１】
本考案において、使用可能な有機繊維としては、木綿、セルロースアセテート繊維、アクリル繊維、ポリアミド繊維、ポリエステル繊維、ポリプロピレン繊維をあげることができる。これら繊維は、容易に入手することができるからである。そしてこれら繊維の太さは、１〜２０デニールの範囲が好ましい。この範囲の太さは、衣料用繊維として、あるいはカーペットなどの敷物用の繊維として容易に入手可能であるからである。なお、木綿など親水性の大きい繊維を使用する場合には、シリコン系撥水剤を使用して親油性を増加することが好ましい。
【００１２】
本考案において、使用される有機繊維は、マットとして使用される。マットとは、比較的厚手の不織布、編織物を意味する。そして、本考案で使用するマットは木炭を内蔵する必要があるので複数の編織物、不織布の端を合わせマットとした構造であることが好ましい。不織布は、ウエプをニードルパンチにより有機繊維を相互に絡ませた後、接着剤で接着した不織布をあげることができる。ここに用いられるウエブとしては、繊維の方向性があるカードウエブ、繊維の方向性がないランダムウエブをあげることができる。編織物は、有機繊維からなる紡績糸、フィラメントを織ったり、編んだりして得られる。
【００１３】
本考案において、木炭のマット内部における内蔵方法としては、不織布、編織物の組織内に内蔵する方法もあるが、製造が困難であるため、複数の不織布、編織物を、縫合せなどの方法で接合して袋を形成し袋の中に入れ、さらに、袋をマットに内蔵させる方法で行うことが好ましい。木炭内蔵マットを構成するマットが、複数の不織布、編織物からなる構造とするのは、木炭を内蔵する袋を、さらに内蔵するため必要であるからである。
【００１４】
本考案において、内蔵される木炭の量は、全体重量の５〜８０％であることが好ましい。５％より少ないと、木炭の添加効果が少なく、８０％より多いと、有機繊維による吸油が少なくなるからである。
【００１５】
本考案において、木炭を内蔵した木炭内蔵マットを使用すると、効果的に汚染油を除去すること可能な理由として以下の理由をあげることができる。
汚染油の中に、汚染油の乳化・分散を有利にする極性のある有機化合物が含まれていると考えられる。このような極性のある有機化合物を除去するため、汚染油は、大きな粒となり、マットを構成する有機繊維に吸着されやすくなると考えられる。また、本考案の吸着マットは、水も含めて吸着するのではなく、油を優先的に吸着することになる。
【００１６】
また、木炭が効果的な汚染油の除去を可能とする理由として、木炭には、微細な孔があり、この孔に微細な汚染油の粒が吸着されるからと考えることもできる。
【００１７】
本考案において、内臓される木炭の他に、比重を調節するため、独立気泡を有する発泡プラスチックスや、石などの重石を加えることもできる。このような方法により、水上に浮かせることも、水中に沈降させることもできる。
また、吸着マットの一方の端には、発泡プラスチックス、他方の端には、石などの重石を加えることもできる。
【００１８】
本考案の木炭内蔵マットの大きさとしては、一辺の長さ１０〜８０センチメートルが好ましい。８０センチメートルより大きくなると、取り扱いが困難となるからであり、１０センチメートルより小さいと、設置が困難となるからである。
【００１９】
本考案の木炭内蔵マットは、紐、編物、織物などを使用した連結材で連結して使用することができる。連結材は、ハサミ・鎌などを使用して容易に切断することもでできるし、紐などの連結紐を使用して再び連結することもできる。
【考案を実施するための最良の形態】
【００２０】
カーペット、軍手に由来する木綿：５０重量％、アクリル繊維・ポリエステル繊維５０重量％からなる再利用繊維を利用した厚さ４．５ミリメートル、幅５５センチメートル×縦５５センチメートルのニードルパンチ不織布を二枚準備しマット２として使用する。別に木炭を収納する袋３を準備する。
【００２１】
別に、間伐材、建築廃材由来の木炭を、径２ミリメートル、長さ２センチメートルの針状に砕き、木炭を得、木炭１を幅３センチメートル、長さ５センチメートルの袋３に充填しする。
【００２２】
前記マット２に、木炭を充填した袋３を挿入し縫い合わせて、木炭１を内蔵している木炭内蔵マット７を得る。その断面図を図１に示す。
かくして得られた、木炭内蔵マット７は、海上に流出した汚染油の吸油に有効であることが確認された。また、気中におくことにより、悪臭除去にも有効であることが認められた。ここに使用した木炭１の量は全体重量の３０％であった。
【００２３】
図２は、木炭１、石４を内蔵する木炭内蔵マット７の断面図である。使用した木炭１の量は全体重量の１０％である。比重の重い石４を内蔵しているため、河川の底に設置することが可能であり、河川の浄化に有効となる。
図３は、木炭１、石４、発泡プラスチック５を内蔵する木炭内蔵マット７が海上を浮遊する模式図である。あたかも釣における浮きのように海上に浮遊し、海面に浮遊する汚染油を捕集可能である。
図４は、木炭内蔵マット７を連結した連結木炭内蔵マット１１の平面図である。
図５は、連結木炭内蔵マット１１の連結部を切断後、連結紐９で連結した状態の平面図である。
【００２４】
以上の説明から明らかなように、本考案の木炭内蔵マットは以下に列記したような実用上優れた効果を有する。
（ａ）内蔵する木炭により、微細な汚染油の粒や、汚染油の乳化・分散を有効している物質を除去するため、効果的な吸油が可能であり、吸油された汚染油には、水分が少ない。
（ｂ）内蔵する木炭の効果により、気中に分散する油分や、ホルムアルデヒドなどの成分の吸着も可能である。
（ｃ）本考案の木炭内蔵マットを水中に敷くことにより、水中にある油などの汚染物質を除去可能であり、水の浄化に有効である。
（ｄ）本考案の木炭は間伐材や、建築廃材を利用可能であり、廃棄物の有効利用が可能となる
【図面の簡単な説明】
【００２５】
【図１】木炭内蔵マットの断面図である。
【図２】木炭、石を内蔵する木炭内蔵マットの断面図である。
【図３】木炭、石、発泡プラスチックを内蔵する木炭内蔵マットが海上を浮遊する模式図である。
【図４】木炭内蔵マットを連結した連結木炭内蔵マットの平面図である。
【図５】連結木炭内蔵マットを切断後、連結紐で連結した状態の平面図である。
【符号の説明】
【００２６】
１    木炭
２    マット
３    袋
４    石
５    発泡プラスチックス
６    水面
７    木炭内蔵マット
８    連結材
９    連結紐
１０  環
１１  連結木炭内蔵マット
【図１】
0003113227.tif 000003
【図２】
0003113227.tif 000004
【図３】
0003113227.tif 000005
【図４】
0003113227.tif 000006
【図５】
0003113227.tif 000007